【手続補正書】
【提出日】平成23年11月17日(2011.11.17)
【手続補正１】
【補正対象書類名】特許請求の範囲
【補正対象項目名】全文
【補正方法】変更
【補正の内容】
【特許請求の範囲】
【請求項１】
ケイ素の含有率が５重量％以上である植物由来の材料を原料とし、窒素ＢＥＴ法による比表面積の値が１０ｍ2／グラム以上、ケイ素の含有率が１重量％以下、ＢＪＨ法による細孔の容積が０．１ｃｍ3／グラム以上であり、ＭＰ法による細孔の容積が０．１ｃｍ3／グラム以上である多孔質炭素材料から成り、インドールを吸着する吸着剤。
【請求項２】
ケイ素の含有率が５重量％以上である植物由来の材料を原料とし、窒素ＢＥＴ法による比表面積の値が１０ｍ2／グラム以上、ケイ素の含有率が１重量％以下、ＢＪＨ法による細孔の容積が０．１ｃｍ3／グラム以上であり、ＭＰ法による細孔の容積が０．１ｃｍ3／グラム以上である多孔質炭素材料から成り、尿酸を吸着する吸着剤。
【請求項３】
ケイ素の含有率が５重量％以上である植物由来の材料を原料とし、窒素ＢＥＴ法による比表面積の値が１０ｍ2／グラム以上、ケイ素の含有率が１重量％以下、ＢＪＨ法による細孔の容積が０．１ｃｍ3／グラム以上であり、ＭＰ法による細孔の容積が０．１ｃｍ3／グラム以上である多孔質炭素材料から成り、アデノシンを吸着する吸着剤。
【請求項４】
ケイ素の含有率が５重量％以上である植物由来の材料を原料とし、窒素ＢＥＴ法による比表面積の値が１０ｍ2／グラム以上、ケイ素の含有率が１重量％以下、ＢＪＨ法による細孔の容積が０．１ｃｍ3／グラム以上であり、ＭＰ法による細孔の容積が０．１ｃｍ3／グラム以上である多孔質炭素材料から成り、α−アミラーゼを吸着する吸着剤。
【請求項５】
ケイ素の含有率が５重量％以上である植物由来の材料を原料とし、窒素ＢＥＴ法による比表面積の値が１０ｍ2／グラム以上、ケイ素の含有率が１重量％以下、ＢＪＨ法による細孔の容積が０．１ｃｍ3／グラム以上であり、ＭＰ法による細孔の容積が０．１ｃｍ3／グラム以上である多孔質炭素材料から成り、３−メチルインドールを吸着する吸着剤。
【請求項６】
ケイ素の含有率が５重量％以上である植物由来の材料を原料とし、窒素ＢＥＴ法による比表面積の値が１０ｍ2／グラム以上、ケイ素の含有率が１重量％以下、ＢＪＨ法による細孔の容積が０．１ｃｍ3／グラム以上であり、ＭＰ法による細孔の容積が０．１ｃｍ3／グラム以上である多孔質炭素材料から成り、トリプトファンを吸着する吸着剤。
【請求項７】
ケイ素の含有率が５重量％以上である植物由来の材料を原料とし、窒素ＢＥＴ法による比表面積の値が１０ｍ2／グラム以上、ケイ素の含有率が１重量％以下、ＢＪＨ法による細孔の容積が０．１ｃｍ3／グラム以上であり、ＭＰ法による細孔の容積が０．１ｃｍ3／グラム以上である多孔質炭素材料から成り、インジカンを吸着する吸着剤。
【請求項８】
ケイ素の含有率が５重量％以上である植物由来の材料を原料とし、窒素ＢＥＴ法による比表面積の値が１０ｍ2／グラム以上、ケイ素の含有率が１重量％以下、ＢＪＨ法による細孔の容積が０．１ｃｍ3／グラム以上であり、ＭＰ法による細孔の容積が０．１ｃｍ3／グラム以上である多孔質炭素材料から成り、テオフィリンを吸着する吸着剤。
【請求項９】
ケイ素の含有率が５重量％以上である植物由来の材料を原料とし、窒素ＢＥＴ法による比表面積の値が１０ｍ2／グラム以上、ケイ素の含有率が１重量％以下、ＢＪＨ法による細孔の容積が０．１ｃｍ3／グラム以上であり、ＭＰ法による細孔の容積が０．１ｃｍ3／グラム以上である多孔質炭素材料から成り、イノシン−５−１燐酸２ナトリウム塩を吸着する吸着剤。
【請求項１０】
ケイ素の含有率が５重量％以上である植物由来の材料を原料とし、窒素ＢＥＴ法による比表面積の値が１０ｍ2／グラム以上、ケイ素の含有率が１重量％以下、ＢＪＨ法による細孔の容積が０．１ｃｍ3／グラム以上であり、ＭＰ法による細孔の容積が０．１ｃｍ3／グラム以上である多孔質炭素材料から成り、アデノシン−５−３燐酸２ナトリウム塩を吸着する吸着剤。
【請求項１１】
ケイ素の含有率が５重量％以上である植物由来の材料を原料とし、窒素ＢＥＴ法による比表面積の値が１０ｍ2／グラム以上、ケイ素の含有率が１重量％以下、ＢＪＨ法による細孔の容積が０．１ｃｍ3／グラム以上であり、ＭＰ法による細孔の容積が０．１ｃｍ3／グラム以上である多孔質炭素材料から成り、脂肪酸を吸着する吸着剤。
【請求項１２】
ケイ素の含有率が５重量％以上である植物由来の材料を原料とし、窒素ＢＥＴ法による比表面積の値が１０ｍ2／グラム以上、ケイ素の含有率が１重量％以下、ＢＪＨ法による細孔の容積が０．１ｃｍ3／グラム以上であり、ＭＰ法による細孔の容積が０．１ｃｍ3／グラム以上である多孔質炭素材料から成り、色素を吸着する吸着剤。
【請求項１３】
ケイ素の含有率が５重量％以上である植物由来の材料を原料とし、窒素ＢＥＴ法による比表面積の値が１０ｍ2／グラム以上、ケイ素の含有率が１重量％以下、ＢＪＨ法による細孔の容積が０．１ｃｍ3／グラム以上であり、ＭＰ法による細孔の容積が０．１ｃｍ3／グラム以上である多孔質炭素材料から成り、数平均分子量が１×１０2以上、５×１０2未満の有機物を吸着する吸着剤。
【請求項１４】
ケイ素の含有率が５重量％以上である植物由来の材料を原料とし、窒素ＢＥＴ法による比表面積の値が１０ｍ2／グラム以上、ケイ素の含有率が１重量％以下、ＢＪＨ法による細孔の容積が０．１ｃｍ3／グラム以上であり、ＭＰ法による細孔の容積が０．１ｃｍ3／グラム以上である多孔質炭素材料から成り、疎水性の分子を吸着する吸着剤。
【請求項１５】
ケイ素の含有率が５重量％以上である植物由来の材料を原料とし、窒素ＢＥＴ法による比表面積の値が１０ｍ2／グラム以上、ケイ素の含有率が１重量％以下、ＢＪＨ法による細孔の容積が０．１ｃｍ3／グラム以上であり、ＭＰ法による細孔の容積が０．１ｃｍ3／グラム以上である多孔質炭素材料から成る医療用の吸着剤。
【請求項１６】
ケイ素の含有率が５重量％以上である植物由来の材料を原料とし、窒素ＢＥＴ法による比表面積の値が１０ｍ2／グラム以上、ケイ素の含有率が１重量％以下、ＢＪＨ法による細孔の容積が０．１ｃｍ3／グラム以上であり、ＭＰ法による細孔の容積が０．１ｃｍ3／グラム以上である多孔質炭素材料から成る経口投与用の吸着剤。
【請求項１７】
ケイ素の含有率が５重量％以上である植物由来の材料を原料とし、窒素ＢＥＴ法による比表面積の値が１０ｍ2／グラム以上、ケイ素の含有率が１重量％以下、ＢＪＨ法による細孔の容積が０．１ｃｍ3／グラム以上であり、ＭＰ法による細孔の容積が０．１ｃｍ3／グラム以上である多孔質炭素材料から成り、脂肪酸を吸着するクレンジング剤。
【請求項１８】
ケイ素の含有率が５重量％以上である植物由来の材料を原料とし、窒素ＢＥＴ法による比表面積の値が１０ｍ2／グラム以上、ケイ素の含有率が１重量％以下、ＢＪＨ法による細孔の容積が０．１ｃｍ3／グラム以上であり、ＭＰ法による細孔の容積が０．１ｃｍ3／グラム以上である多孔質炭素材料から成る腎臓疾患治療薬。
【請求項１９】
ケイ素の含有率が５重量％以上である植物由来の材料を原料とし、窒素ＢＥＴ法による比表面積の値が１０ｍ2／グラム以上、ケイ素の含有率が１重量％以下、ＢＪＨ法による細孔の容積が０．１ｃｍ3／グラム以上であり、ＭＰ法による細孔の容積が０．１ｃｍ3／グラム以上である多孔質炭素材料を含む機能性食品。